(57)【要約】      （修正有）【課題】サインの外観を形成する乳半面板がＬＥＤ照射光により均一に面発光し明るさが安定した光照射面を形成する、ＬＥＤ照射光拡散手段、およびサインを提供する。【解決手段】ＬＥＤ照射光拡散手段は、光源を構成するＬＥＤ１０と、ＬＥＤ照射光を拡散させる光拡散板２０と、光拡散板により拡散されるＬＥＤ照射光を乳半面板側に反射させる反射板３０とを備えている。反射板を上下左右のうち少なくとも上下、左右のいずれかにおいて対称な多角多面型の反射板として形成し、光拡散板をＬＥＤに臨ませて配置するとともに、光拡散板の中央にＬＥＤ照射光を屈折させる円錐状のくぼみ２１を形成し、くぼみ表面を梨地状の粗面として形成する。サインは、さらに外観を形成する乳半面板を備えて形成されている。【選択図】図４
0003157806.tif 000002
【実用新案登録請求の範囲】
【請求項１】
光源を構成するＬＥＤと、
該ＬＥＤ照射光を拡散させる光拡散板と、
前記光拡散板により拡散されるＬＥＤ照射光を乳半面板側に反射させる反射板とを備え、
前記反射板を上下左右のうち少なくとも上下、左右のいずれかにおいて対称な多角多面型の反射板として形成し、
前記光拡散板を前記ＬＥＤに臨ませて配置するとともに、前記光拡散板の中央にＬＥＤ照射光を屈折させる円錐状のくぼみを形成し、該くぼみ表面を梨地状の粗面として形成することを特徴とするＬＥＤ照射光拡散手段。
【請求項２】
光源を構成するＬＥＤと、
該ＬＥＤ照射光を拡散させる光拡散板と、
前記光拡散板により拡散されるＬＥＤ照射光を乳半面板側に反射させる反射板と、
外観を形成する乳半面板とを備え、
前記反射板を上下左右のうち少なくとも上下、左右のいずれかにおいて対称な多角多面型の反射板として形成し、
前記光拡散板を前記ＬＥＤに臨ませて配置するとともに、前記光拡散板の中央にＬＥＤ照射光を屈折させる円錐状のくぼみを形成し、該くぼみ表面を梨地状の粗面として形成することを特徴とするサイン。
【考案の詳細な説明】
【技術分野】
【０００１】本考案は、ＬＥＤ照射光拡散手段、およびサインに関するものである。
【背景技術】
【０００２】コンビニエンスストア、ファーストフード等の店頭に設置されるサインは店舗の大型化にともない横長のサインとして構成されることが多い。この種のサインの光源として、省エネの点から光源としてＬＥＤ（Ｌｉｇｈｔ  Ｅｍｉｔｔｉｎｇ  Ｄｉｏｄｅ：発光ダイオード）が用いられるようになってきているが、ＬＥＤは発光面から正面に向かって直線的に光が進む性質があり、ＬＥＤ照射光を好適に案内する手段を必要とする。【０００３】ＬＥＤを光源に用い、様々な発光色を選択できるようにし、しかも安全で消費電力も少なく設計製造が容易で効率よく電飾効果を高めることができる電飾装置が提案されている（特許文献１）。
【先行技術文献】
【０００４】
【特許文献１】特開平１０−８３１４８号公報
【考案の概要】
【考案が解決しようとする課題】
【０００５】しかしながら、このＬＥＤを用いた電飾装置は、長尺なベースプレートの鏡面処理が施された表面に、多数のＬＥＤランプを収容したＬＥＤ線状発光体を複数本併設し、断面コの字形状のアクリル樹脂板からなるプラスチック板（面板）を取付けて覆う構造のものであり、
（１）ＬＥＤ照射光の拡散が均一でないためプラスチック板のＬＥＤ直上部に照射リンクが現われて照射面に陰影が生じ易い、
（２）光源を形成するＬＥＤをマトリクス状に多数配置しなければ均一な面発光を期待できないため消費電力を削減できない［結果として省エネにならない。（ＬＥＤ１０を複数個直列に接続する場合は本願の図１５参照）］、
等の問題点があった。
【解決手段】
【０００６】したがって、本考案の目的は、サインの外観を形成する乳半面板がＬＥＤ照射光により均一に面発光し明るさが安定した光照射面を形成する、ＬＥＤ照射光拡散手段、およびサインを提供することにある。
【０００７】本考案の他の目的は、光拡散板と反射板を備えＬＥＤ照射光を効率よく利用でき、光源を構成するＬＥＤの数を少なくして省エネに寄与する、ＬＥＤ照射光拡散手段、およびサインを提供することにある。
【課題を解決するための手段】
【０００８】本考案に係るＬＥＤ照射光拡散手段は、光源を構成するＬＥＤと、該ＬＥＤ照射光を拡散させる光拡散板と、前記光拡散板により拡散されるＬＥＤ照射光を乳半面板側に反射させる反射板とを備え、前記反射板を上下左右のうち少なくとも上下、左右のいずれかにおいて対称な多角多面型の反射板として形成し、前記光拡散板を前記ＬＥＤに臨ませて配置するとともに、前記光拡散板の中央にＬＥＤ照射光を屈折させる円錐状のくぼみを形成し、該くぼみ表面を梨地状の粗面として形成することを特徴としている。
【０００９】本考案に係るサインは、光源を構成するＬＥＤと、該ＬＥＤ照射光を拡散させる光拡散板と、前記光拡散板により拡散されるＬＥＤ照射光を乳半面板側に反射させる反射板と、外観を形成する乳半面板とを備え、前記反射板を上下左右のうち少なくとも上下、左右のいずれかにおいて対称な多角多面型の反射板として形成し、前記光拡散板を前記ＬＥＤに臨ませて配置するとともに、前記光拡散板の中央にＬＥＤ照射光を屈折させる円錐状のくぼみを形成し、該くぼみ表面を梨地状の粗面として形成することを特徴としている。
【考案の効果】
【００１０】本考案によれば、次の効果を奏する。
（１）サインの外観を形成する乳半面板がＬＥＤ照射光により均一に面発光し明るさが安定した光照射面を形成している、ＬＥＤ照射光拡散手段、およびサインが得られる。
（２）光拡散板と反射板を具備しているためＬＥＤ照射光を効率よく利用でき、光源を構成するＬＥＤの数を少なくして省エネに寄与する、ＬＥＤ照射光拡散手段、およびサインが得られる。
【図面の簡単な説明】
【００１１】
【図１】本考案に係るＬＥＤ照射光拡散手段の斜視図である。
【図２】本考案に係るサインの要部を示す略図である。
【図３】本考案に係るＬＥＤ照射光拡散手段の平面図である。
【図４】本考案に係るＬＥＤ照射光拡散手段の要部を示す略図である。
【図５】本考案に係るＬＥＤ照射光拡散手段の要部を示す略図である。
【図６】ＬＥＤ照射光拡散手段の構成要素を分離して示す斜視図である。
【図７】ＬＥＤ照射光拡散手段の平面略図である。
【図８】サインを壁面に設置する過程を示す斜視図である。
【図９】サインを壁面に設置する過程を示す斜視図である。
【図１０】サインを壁面に設置する過程を示す斜視図である。
【図１１】サインを壁面に設置する過程を示す斜視図である。
【図１２】本考案に係るサインを示す略図である。
【図１３】本考案に係るサインを示す略図である。
【図１４】本考案に係るサインを示す略図である。
【図１５】ＬＥＤを複数個直列に接続した状態の平面図である。
【考案を実施するための形態】
【実施例】
【００１２】以下は本考案の実施例についての説明である。
図１〜図６において、ＬＥＤ照射光拡散手段１は、光源を構成するＬＥＤ１０と、該ＬＥＤ照射光を拡散させる光拡散板２０と、前記光拡散板により拡散されるＬＥＤ照射光を乳半面板側に反射させる反射板３０とを備えている。【００１３】このうち、前記光拡散板２０の底面側の中央には、ＬＥＤ照射光を屈折させる円錐状のくぼみ２１が形成されている。該くぼみ表面（壁面）はＬＥＤ照射光を拡散させるため梨地状の粗面として形成され、前記光拡散板２０の上面（頂面）２２も同様にＬＥＤ照射光を拡散させるため梨地状の粗面として形成され、ＬＥＤ照射光の拡散を円滑に行なうことを保証している。さらに、前記光拡散板２０の底面側には前記くぼみ２１を囲成する円環部２３が垂下して形成され、該円環部の自由端側は前記反射板３０の中央に取付けられる。前記光拡散板２０は前記ＬＥＤ１０に臨ませて配置される。実施例では、前記ＬＥＤ１０と前記光拡散板２０と前記円環部２３は一体的に形成されている。【００１４】前記反射板３０は、上下左右のうち少なくとも上下、左右のいずれかにおいて対称な多角多面型の反射板として形成され、前記光拡散板によって拡散した光を多角面で反射させる。また前記反射板３０の中央はくり抜いて貫通孔３２が形成されている。前記円環部２３の自由端側がこの貫通孔に係合する。【００１５】また、サイン５は、前記ＬＥＤ照射光拡散手段１と乳半面板４０を備えて形成されている。該乳半面板４０は前記ＬＥＤ照射光拡散手段１を囲成し、サイン５の外観を形成する。該乳半面板４０は、面板枠体上部レール４５、面板枠体下部レール４６を具備している。符号４８はひさしである。【００１６】前記光拡散板２０によって拡散したＬＥＤ照射光は多角多面型に形成された前記反射板３０により効率よく反射され前記乳半面板４０に当って前記乳半面板４０を照射し、また一部は方向を変えて前記反射板３０より再度反射されて前記乳半面板４０に当たり、かくして前記乳半面板４０に当るＬＥＤ照射光は均一化される（図２参照）。【００１７】符号５０はサイン５を支持する壁面側の上部レール、６０は下部レールである。該上部レール５０に前記面板枠体上部レール４５が、前記下部レール６０に前記面板枠体下部レール４６に着脱自在に取り付けられる。【００１８】サイン５を壁面に取り付ける場合には図８乃至図１１の過程を経て壁面に取り付ける。符号８１は縦バーである。
【符号の説明】
【００１９】１      ＬＥＤ照射光拡散手段
５      サイン
１０    ＬＥＤ
２０    光拡散板
３０    反射板
４０    乳半面板
【図１】
0003157806.tif 000003
【図２】
0003157806.tif 000004
【図３】
0003157806.tif 000005
【図４】
0003157806.tif 000006
【図５】
0003157806.tif 000007
【図６】
0003157806.tif 000008
【図７】
0003157806.tif 000009
【図８】
0003157806.tif 000010
【図９】
0003157806.tif 000011
【図１０】
0003157806.tif 000012
【図１１】
0003157806.tif 000013
【図１２】
0003157806.tif 000014
【図１３】
0003157806.tif 000015
【図１４】
0003157806.tif 000016
【図１５】
0003157806.tif 000017